(57)【要約】【課題】発光と受光を並行して同時（又は交互）に行うようにした表示装置の消費電力を低減する。【解決手段】マトリクス状に配置された複数の表示素子と、複数の表示素子に隣接して配置されて表示面に入射した光の受光を行う複数の受光素子とを備えた表示パネル構成とし、受光素子で受光した受光信号に基づいて表示面に接触又は近接した位置を判断する位置検出部１３，１４と、位置検出部１３，１４での所定状態の接触又は近接を判断した場合に、表示状態又は位置検出状態を低消費電力モードから通常動作モードに遷移させる制御部１１とを備えたものである。【選択図】図１
2007163891.tif 000002
【特許請求の範囲】
【請求項１】
画像の表示と受光とを同時又は交互に行う表示装置において、
マトリクス状に配置された複数の表示素子と、
前記複数の表示素子に隣接して配置されて、表示面に入射した光の受光を行う複数の受光素子と、
前記受光素子で受光した受光信号に基づいて、表示面に接触又は近接した位置を判断する位置検出部と、
前記位置検出部での所定状態の接触又は近接を判断した場合に、表示状態又は位置検出状態を低消費電力モードから通常動作モードに遷移させる制御部とを備えたことを特徴とする
表示装置。
【請求項２】
請求項１記載の表示装置において、
前記表示素子の配置面の背面にバックライトを備え、
前記低消費電力モードでは、前記バックライトを消灯状態又はバックライトの輝度を落とした状態とし、前記通常動作モードでは、前記バックライトを発光状態としたことを特徴とする
表示装置。
【請求項３】
請求項１記載の表示装置において、
前記表示素子と前記受光素子は共通の素子で、表示と受光を交互に行う素子であり、
前記低消費電力モードでは、前記表示素子による表示を停止させる状態とし、前記通常動作モードでは、前記表示素子による表示を行う状態としたことを特徴とする
表示装置。
【請求項４】
請求項１記載の表示装置において、
前記低消費電力モードでは、前記受光素子で受光した受光信号に基づいた接触又は近接の検出を、前記通常動作モードでの接触又は近接の検出周期よりも長い周期で行うようにしたことを特徴とする
表示装置。
【請求項５】
請求項１記載の表示装置において、
前記低消費電力モードでは、前記受光素子で受光した受光信号に基づいた接触又は近接の検出を、前記表示面の特定の範囲内の受光素子で受光した受光信号でだけ行い、前記通常動作モードでは、全ての受光素子で受光した受光信号で行うようにしたことを特徴とする
表示装置。
【発明の詳細な説明】
【技術分野】
【０００１】
本発明は、例えば、液晶表示ディスプレイやＥＬ（electro-luminescence）ディスプレイに適用して好適な表示装置に関し、特に、発光と並行して受光も可能な表示技術に関する。
【背景技術】
【０００２】
従来、テレビジョン受像機などの表示装置の表示画面上に、その画面に触れることで操作が可能なタッチパネルを構成させる場合、表示装置とは別体のタッチパネルを表示画面上に重ねる構成としてあった。
【０００３】
別体のタッチパネルを使用する構成としては、例えば、画面の上に、透明で薄い入力検出装置を貼り付けたものがある。これは導電性フィルムを用いたタッチセンサで、圧力を検出する感圧式のものや、人体との接触で変化する静電容量式のものなどがある。また、電磁誘導式といわれるもので、特殊なペンを用いて位置を入力するものもある。これらは表示パネルの表面に特殊な位置検出用のパネルをもう一枚重ねた構造となる。
【０００４】
これら検出用のパネルを、表示パネルと重ね合わせて使用するものは、タッチの検出原理は簡単であるが、表示パネルの上に何らかの部材を重ねるために、必然的に表示品質の低下が起こる。また検出方法が主に容量変化を検出する方式であるため、２箇所以上の入力を同時に検出することは困難である。
【０００５】
表面にパネルを追加しないタッチパネルの方式には、光学式のものがある。パネルの上下左右に発光素子（発光ダイオードなど）と、フォトトランジスタを組み合わせて配置し、指などが遮光することにより、位置を検出するものである。このような光学式では表示品質の低下は起こらないが、表示装置の周囲に設置する装置が大掛かりとなり、携帯機器には不向きである。
【０００６】
これらの従来のタッチパネルの不都合を解決するために、近年、別体のタッチパネルを設けることなく、表示装置の画面がそのままタッチパネルとして機能するようにしたものが提案されている。特許文献１には、このような発光と受光を並行して行う表示装置についての開示がある。
【０００７】
このような発光と受光を並行して行う表示装置の例としては、例えば液晶ディスプレイとして構成された表示面に配置された画像表示用の表示（発光）素子での表示を、間欠的に行い、その発光が休止した期間に、発光素子に隣接して配置した受光素子に受光に応じた電荷を蓄積させて、表示（発光）が休止した期間に、受光素子で受光を行うことが提案されている。液晶ディスプレイで必要となるバックライトについても、表示と受光に連動して点灯と消灯を繰り返すようにする。或いは、ＥＬディスプレイの場合には、発光素子そのものを受光素子とすることができ、発光素子による発光が休止した期間を、受光期間とするようにしてある。
【特許文献１】特開２００４−１２７２７２号公報
【発明の開示】
【発明が解決しようとする課題】
【０００８】
ところで、既に提案した発光と受光を並行して行う表示装置で画面への接触を検出するためには、受光素子に隣接した受光素子を駆動して（或いは発光素子の発光休止期間に受光用に駆動して）、その受光素子の出力を検出する処理が必要であるので、発光だけを行う表示装置よりも消費電力が増大する問題がある。
【０００９】
特に、バックライトを必要とする液晶表示ディスプレイでは、受光の検出精度を上げるために、バックライトを点灯させた状態での受光と、バックライトを消灯させた状態での受光との差分のデータを得て、その差分のデータから受光を検出する場合がある。ところが、そのような受光のためにもバックライトの点灯が必要な構成であるとすると、表示が必要でない期間においても、バックライトの点灯が必要であり、余計な電力消費がある問題があった。
【００１０】
本発明はかかる点に鑑みてなされたものであり、発光と受光を並行して同時（又は交互）に行うようにした表示装置の消費電力を低減することを目的とする。
【課題を解決するための手段】
【００１１】
本発明は、画像の表示と受光とを同時又は交互に行う表示装置において、マトリクス状に配置された複数の表示素子と、複数の表示素子に隣接して配置されて表示面に入射した光の受光を行う複数の受光素子と、受光素子で受光した受光信号に基づいて表示面に接触又は近接した位置を判断する位置検出部と、位置検出部での所定状態の接触又は近接を判断した場合に、表示状態又は位置検出状態を低消費電力モードから通常動作モードに遷移させる制御部とを備えたものである。
【００１２】
このようにしたことで、例えば、ある程度の期間連続して接触を検出しない状態では、低消費電力モードとして、表示状態又は位置検出を通常とは異なる状態とし、接触を検出したときに、通常動作モードとして、通常状態での表示又は位置検出を行うことで、接触が連続してない状態での消費電力を低減させることが可能になる。
【発明の効果】
【００１３】
本発明によると、ある程度の期間連続して接触を検出しない状態では低消費電力モードとした上で、接触を検出したときに通常動作モードに復帰させることで、接触が連続してない状態での消費電力を低減させることが可能になる。例えば、低消費電力モードの状態でバックライトをオフとして表示を停止させたり、あるいは、受光素子の出力の検出を検出する周期を、通常よりも長い周期で行うことで、低消費電力化が図れる。
【発明を実施するための最良の形態】
【００１４】
以下、本発明の一実施の形態を、図１〜図１３を参照して説明する。
【００１５】
本例においては、液晶表示ディスプレイとして構成された表示装置に適用したものであり、その液晶表示ディスプレイを構成する各発光素子に隣接して受光素子を配置して、発光（表示）と受光（読み取り）とを並行して行えるように構成したものである。ここでは、発光と受光を並行して行える本例のディスプレイを、画像の入力（受光）と出力（表示）が同時に行えるディスプレイであるので、Ｉ／Ｏディスプレイと称する。また、後述するように本例のＩ／Ｏディスプレイは、画面を触れた状態である接触だけでなく、画面に近接した物体についても検出が可能であり、以下の説明で接触の検出と述べた場合には、特に説明がある場合を除いて、近接の検出をも含むようにしてある。
【００１６】
図１は、本例の表示装置の構成例を示すブロック図である。中央処理部１１は、その中央処理部１１が実行中のアプリケーションに応じた画像を表示させる処理を行うと共に、ディスプレイパネルの接触を検出して、接触した表示箇所に応じた処理などを行うようにしてある。中央処理部１１は、通信部１１ａを備えて外部のネットワークを介して通信できる構成としてあり、制御部１１ｂがアプリケーションプログラムなどの実行処理を行う。中央処理部１１からの画像の表示の指示は、ディスプレイ表示信号処理回路１２に送られ、Ｉ／Ｏディスプレイパネル２０で画像を表示させるための駆動が行われる。
【００１７】
Ｉ／Ｏディスプレイパネル２０は、液晶表示ディスプレイとして構成され、ガラス基板などの透明な基板上に透明電極などが配置されて、表示エリア（センサエリア）２１に、複数の画素（表示素子）がマトリクス状に形成されたディスプレイであり、背面にバックライト１６が配置してある。本例のバックライトは、例えば複数の発光ダイオードが配列されたものを使用してあり、比較的高速でバックライトの点灯のオン・オフ制御ができるようにしてある。バックライトでの点灯のオン・オフ制御は、ディスプレイ表示信号処理回路１２での表示駆動に連動して行われる。ディスプレイ表示信号処理回路１２による液晶表示ディスプレイの駆動としては、ディスプレイを構成する画素電極に、駆動用の電圧信号を印加することで行われる。
【００１８】
Ｉ／Ｏディスプレイパネル２０は、表示素子とは別に複数の受光素子が配置してある。即ち、例えば、表示エリア（センサエリア）２１の各表示画素に隣接して、受光素子がマトリクス状に配置してあり、この受光素子への受光光量に対応して蓄積した信号電荷を、受光信号処理部１３からの駆動で読み出す構成としてある。
【００１９】
受光信号処理部１３で読み出されて判定された受光信号（後述する差分画像信号）は、入力情報解析部１４に送られて、接触状態などが画像として判定される。この判定を行う際には、１フレーム前の判定結果との差分を判断して、接触状態の変化についても検出するようにしてある。この場合、記憶装置１５を使用して、所定フレーム期間前からの接触位置の変化などの情報を記憶するようにしてある。判定結果については、所定のメッセージとして中央処理部１１に送られる。中央処理部１１では、実行中のアプリケーションに応じた所定の処理を行う。
【００２０】
次に、図２を参照して、本例のＩ／Ｏディスプレイパネル２０のドライバの配置例を説明する。中央に透明な表示エリア（センサエリア）２１が配置されたＩ／Ｏディスプレイパネル２０は、図２に示すように、表示エリア２１の４つの端面に、表示用水平ドライバ２２、表示用垂直ドライバ２３、センサ用水平ドライバ２４、センサ用垂直ドライバ２５が配置してある。表示用水平ドライバ２２と表示用垂直ドライバ２３には、表示用のデータとして、表示信号と制御クロックとが供給されて、表示エリア２１にマトリクス状に配置された表示画素の駆動が行われる。センサ用水平ドライバ２４とセンサ用垂直ドライバ２５には、読み出し用のクロックが供給されて、そのクロックに同期して読み出された受光信号を、受光信号線を介して受光信号処理部１３に供給する。
【００２１】
図３は、表示エリア２１に配置された画素の１つの構成を示した図である。１つの画素３１が備える表示のための構成としては、ここでは水平方向にゲート電極３１ｈが配置してあり、垂直方向にドレイン電極３１ｉが配置してあり、両電極の交点にスイッチチング素子３１ａが配置してあり、そのスイッチチング素子３１ａと画素電極３１ｂが接続してある。スイッチチング素子３１ａは、ゲート電極３１ｈを介して得られる信号によりオン・オフが制御され、ドレイン電極３１ｉを介して供給される信号により、画素電極３１ｂでの表示状態が設定される。
【００２２】
そして、画素電極３１ｂに隣接した位置に、受光センサ（受光素子）３１ｃが配置してあり、電源電圧ＶDDが供給される。この受光センサ（受光素子）３１ｃには、リセットスイッチ３１ｄとコンデンサ３１ｅが接続してあり、リセットスイッチ３１ｄでリセットされた後、コンデンサ３１ｅで受光量に対応した電荷を蓄積するようにしてある。その蓄積された電荷に比例した電圧が、読み出しスイッチ３１ｇがオンとなるタイミングで、バッファアンプ３１ｆを介して、信号出力用電極３１ｊに供給され、外部に出力される。リセットスイッチ３１ｄのオン・オフは、リセット電極３１ｋに得られる信号により制御され、読み出しスイッチ３１ｇのオン・オフは、読出し制御電極３１ｋに得られる信号により制御される。
【００２３】
図４は、画像の表示（発光）と受光とが、各フレーム期間に行われる状態を示した図である。図４の横軸は時間であり、縦軸は表示や受光を行う走査ライン（水平ライン）の位置を示してあり、表示信号の書き換えや受光信号の読出しは、ここでは１画面の最下段のラインから順に走査ラインを上に変化させて、最後に最上段のライン（１番目のライン）の走査を行う構成としてある。図４では、任意のフレーム位置である、ｎフレーム目の処理と、そのｎフレームの次のフレームであるｎ＋１フレーム目の処理を示してあり、同様の処理が継続して行われる。
【００２４】
ここでは、１フレーム期間は、例えば１／６０秒としてあり、図４に示すように、その１フレーム期間を前半と後半に２等分して分けてあり、前半をバックライトを点灯させる期間としてあり、後半をバックライトを消灯させる期間としてある。そして、受光信号の読出しについては、点灯期間と消灯期間のそれぞれで行うようにしてある。
【００２５】
さらに、バックライトオンの期間と、バックライトオフの期間とを、それぞれ２等分してある。ｎフレーム目では、表示のための画素電極の駆動ラインＧ１は、バックライトオンの期間の前半に、画面の下半分の走査を行って、そのラインの表示状態を、そのフレーム期間の画像に書き換えさせ、バックライトオンの期間の後半では、走査ラインを変化させずに休止期間としてある。バックライトオフの期間の前半には、画面の上半分の走査を行って、そのラインの表示状態を、そのフレーム期間の画像に書き換えさせ、バックライトオフの期間の後半では、走査ラインを変化させずに休止期間としてある。
【００２６】
受光処理については、ｎフレーム目では、バックライトオンの期間の前半に、全てのラインの受光信号を順にリセットさせる処理ＲＳ１を行い、バックライトオンの期間の後半に、全てのラインの受光信号を順に読み出す処理ＲＤ１を行い、それぞれのセンサで一定期間蓄積した受光信号を読み出す。同様に、バックライトオフの期間の前半に、全てのラインの受光信号を順にリセットさせる処理ＲＳ２を行い、バックライトオフの期間の後半に、全てのラインの受光信号を順に読み出す処理ＲＤ２を行い、それぞれのセンサで一定期間蓄積した受光信号を読み出す。
【００２７】
このようにして、１フレーム当り、バックライトがオンでいわゆる自発光時の受光信号読出しと、バックライトがオフで消灯時の受光信号読出しの２回の読出しが行われる。その１フレームの２回の読出し信号は、受光信号処理部１３内のフレームメモリ（図示せず）に入力されて、各画素位置の信号ごとに差分が検出され、その差分の信号が、ノイズ除去された差分受光信号として、入力情報解析部１４に送られる。
【００２８】
図５は、本例の表示装置の形状の例を示した図である。ここでは、例えばユーザが携帯可能な小型・薄型の表示装置１０として構成させてあり、Ｉ／Ｏディスプレイパネル２０の表示エリア２１の表示面をユーザ（操作者）が指ｆ１、ｆ２などで触れることで、操作ができる構成としてある。
【００２９】
次に、図６〜図８を参照して、液晶表示ディスプレイについての表示状態の例を説明する。図６は、透過型の液晶表示ディスプレイであり、図７は半透過型の液晶表示ディスプレイであり、図８は反射型の液晶表示ディスプレイであり、それぞれの方式での表示状態（発光状態）を模式的に示したものである。
【００３０】
図６に示すように、透過型の液晶表示ディスプレイの場合には、バックライト１６からの光が、Ｉ／Ｏディスプレイパネル２０の背面に入射され、その入射光の一部が、Ｉ／Ｏディスプレイパネル２０からの表示光として出力される。
【００３１】
図７に示すように、半透過型の液晶表示ディスプレイの場合には、バックライト１６からの光が、Ｉ／Ｏディスプレイパネル２０′の背面に入射され、その入射光の一部が、Ｉ／Ｏディスプレイパネル２０′からの表示光として出力されると共に、外部からＩ／Ｏディスプレイパネル２０′の表面に入射した光の反射光についても、表示光として出力される。
【００３２】
図８に示すように、反射型の液晶表示ディスプレイの場合には、外部からＩ／Ｏディスプレイパネル２０″の表面に入射した光の反射光が、表示光として出力される。
【００３３】
図１の構成では、バックライト１６を設けた構成としてあるが、本実施の形態においては、図６、図７、図８のいずれの構成の液晶表示ディスプレイでも適用可能である。
【００３４】
次に、本実施の形態における表示装置での表示と接触などの検出との処理状態の例を、図９のフローチャートを参照して説明する。まず、本例の場合には、通常動作モードと低消費電力モードとの２つの動作モードを設定するようにしてある。このモードの設定は、例えば制御部１１ｂの制御で行うようにしてある。図９のフローチャートについて説明すると、まず、表示装置の電源投入などで、表示装置が起動すると、通常動作モードとなり、画像表示と接触検出を通常動作でおこなう（ステップＳ１１）。そして、その起動から、予め設定した所定時間ｔが経過するまでの間、接触検出がなかったか否か判断する（ステップＳ１２）。例えば数分の間、連続して接触検出がないかどうか判断する。
【００３５】
この判断で、接触検出がある場合には、ステップＳ１１の通常動作モードでの動作を継続して行う。そして、接触検出が所定時間ｔが経過するまでの間、連続してない場合には、動作モードを低消費電力モードに変化させる（ステップＳ１３）。この低消費電力モードの状態で、接触検出があるかどうか判断し（ステップＳ１４）、接触検出がない場合には、ステップＳ１３の低消費電力モードを維持させ、接触検出があった場合には、ステップＳ１１の通常動作モードでの動作に戻る。
【００３６】
ここで、通常動作モードと低消費電力モードのそれぞれの動作設定例を、図１０〜図１２を参照して説明する。図１０の例（例１）は、通常動作モードと低消費電力モードのいずれのときでも、表示パネルでの画像表示は、入力画像の通常の表示を行う。その上で、受光検出に基づいた接触検出については、通常動作モードの際に、表示に連動した周期（つまり図４に示した周期）で行う。一方、低消費電力モードの際には、受光量による接触検出を、通常動作モード時よりも長い周期で行う。例えば、２フレームに一度、或いはそれ以上の長い周期で行う。
【００３７】
この図１０に示すようにモード設定を行うことで、表示パネルへの接触（又は近接）が全くない状態がある程度継続すると、接触検出のための受光処理を行う周期が長くなり、それだけ表示（出力）と接触検出（入力）とを同時に行う表示装置の消費電力を低減させることができる。
【００３８】
図１１の例（例２）は、表示パネルでの画像表示として、通常動作モードのときには、入力画像の通常の表示を行う。そして、低消費電力モードになると、表示を停止させる。バックライト１６についても消灯させた状態とする。そして、受光検出に基づいた接触検出については、通常動作モードの際に通常の状態で行う。ここでの通常の状態とは、図４に示したように、バックライト１６を点灯した状態での受光データと、バックライト１６を消灯した状態での受光データとの差分を検出して、精度良く接触検出する処理である。一方、低消費電力モードの際には、バックライト１６が消灯したままであり、そのバックライトが消灯したままの状態で接触検出を行う。この状態での接触検出は、外光の入力状態の変化による受光量の変化検出処理になるので、上述した差分のデータを取得する場合に比べて検出精度は劣るが、それなりに接触検出は可能である。
【００３９】
この図１１に示すようにモード設定を行うことで、表示パネルへの接触（又は近接）が全くない状態がある程度継続すると、表示がされない状態となり、それだけ表示（出力）と接触検出（入力）とを同時に行う表示装置の消費電力を低減させることができる。
【００４０】
図１２の例（例３）は、通常動作モードと低消費電力モードのいずれのときでも、表示パネルでの画像表示は、入力画像の通常の表示を行う。その上で、受光検出に基づいた接触検出については、通常動作モードの際に、表示に連動した周期（つまり図４に示した周期）で、画面全体で行う。一方、低消費電力モードの際には、受光量による接触検出を、画面２１内のある特定範囲でだけ行う。具体的には、例えば図１３に示すように、通常動作モードでは、表示エリア２１全体で画像の表示を行うと共に、その表示エリア２１全体がセンサエリアとなって、表示エリア２１の表面のいずれかの箇所の接触を検出する。そして、低消費電力モードでは、表示については通常動作モードと同様に行い、接触検出として、画面２１内の隅などの特定範囲２１ａでだけ行うようにする。従って、特定範囲２１ａ外の領域では、受光動作を行わない。
【００４１】
この図１２に示すようにモード設定を行うことで、表示パネルへの接触（又は近接）が全くない状態がある程度継続すると、接触検出が特定範囲内だけで行われる状態となり、それだけ受光とその受光信号の変換に要する電力を省略でき、表示（出力）と接触検出（入力）とを同時に行う表示装置の消費電力を低減させることができる。この図１３に示す処理を行う際には、例えば画面２１での表示として、その特定範囲２１ａにボタン表示などを行い、「タッチ操作したい場合にはこの範囲に触れてください」などとユーザに告知表示してもよい。
【００４２】
なお、図１０、図１１、図１２に示した各処理を組み合わせて、各モードを設定するようにしてもよい。例えば、図１１に示すように低消費電力でのバックライト消灯中に、受光により接触を検出する周期を、通常時よりも長くしてもよい。あるいは、図１２に示した特定範囲だけでの接触検出時にも、受光により接触を検出する周期を、通常時よりも長くしてもよい。
【００４３】
また、上述例では、低消費電力モードでバックライトを消灯状態とする例について説明したが、消灯状態とする代わりに、バックライトの輝度を通常モードよりも落とした状態としても良い。
【００４４】
また、上述した実施の形態では、表示パネルとして、液晶ディスプレイを例として説明したが、受光素子を組み込むことが可能なディスプレイであれば、その他の構成のディスプレイにも本発明は適用可能である。
【００４５】
例えば、ＥＬディスプレイに適用することもできる。図１４は、ＥＬディスプレイとしての表示装置の構成例を示すブロック図であり、図１の液晶ディスプレイの場合と同じ構成部分には同一符号を付してある。ＥＬディスプレイの場合には、ディスプレイ表示信号処理回路１２′によりＥＬディスプレイパネル（Ｉ／Ｏディスプレイパネル）４０用の駆動を行うと共に、受光信号処理部１３′でＥＬディスプレイパネル４０内の受光素子からの信号検出処理を行う。そして、ＥＬディスプレイパネル４０は自発光型の表示手段であるので、図１の構成で必要であったバックライトは不要である。
【００４６】
図１５は、ＥＬディスプレイに適用した場合の各画素の構成例を示した図である。図１５では、有機ＥＬディスプレイの発光素子４１を発光ダイオードとして示してあり、その発光ダイオード４１には、寄生容量４２が生じている。画像表示のために発光素子４１に、表示データ信号線４３から、表示データをスイッチＳＷ１を介して発光素子４１に供給するようにしてある。従って、表示期間（発光期間）は、スイッチＳＷ１をオンさせている期間で設定される。
【００４７】
そして、発光素子４１で発光が停止している期間には、表示パネルの表面に入射した光量に応じて、発光素子４１に生じた寄生容量４２に、電荷が蓄積する。その蓄積した電荷は、スイッチＳＷ２のオンで、受信データ信号線４５に読み出される。なお、受光期間の開始時には、リセット用のスイッチＳＷ３を一瞬オンさせて、寄生容量４２に発光時に蓄積した電荷を放出させる必要がある。スイッチＳＷ２のオンは、読み出しライン選択線４４に得られる信号で制御される。
【００４８】
このような有機ＥＬディスプレイタイプのＩ／Ｏディスプレイパネルを構成させることで、画像などを表示させながら、そのパネルに接触又は近接したことを検出する処理が可能である。この構成の場合には、例えば１フィールド期間内を２分割して、表示を行う期間と、受光を行う期間を設定することで、双方の処理が可能である。このような構成のＩ／Ｏディスプレイパネルを使用して、図９から図１２を参照して説明した通常動作モードと低消費電力モードとの処理を行うことで、同様の低消費電力化を図ることが可能である。
【図面の簡単な説明】
【００４９】
【図１】本発明の一実施の形態による表示装置の構成例を示すブロック図である。
【図２】本発明の一実施の形態による表示パネルの例を示す構成図である。
【図３】本発明の一実施の形態による画素構成例を示す接続図である。
【図４】本発明の一実施の形態による表示と受光のタイミング例を示すタイミング図である。
【図５】本発明の一実施の形態による装置形状例を示す斜視図である。
【図６】本発明の一実施の形態による発光状態の例（透過型）を示す模式図である。
【図７】本発明の一実施の形態による発光状態の例（半透過型）を示す模式図である。
【図８】本発明の一実施の形態による発光状態の例（反射型）を示す模式図である。
【図９】本発明の一実施の形態によるモード変化例を示すフローチャートである。
【図１０】本発明の一実施の形態による各モードの動作例（例１）を示す説明図である。
【図１１】本発明の一実施の形態による各モードの動作例（例２）を示す説明図である。
【図１２】本発明の一実施の形態による各モードの動作例（例３）を示す説明図である。
【図１３】図１２の例の場合の検知エリア限定例を示した説明図である。
【図１４】本発明の他の実施の形態による表示装置の構成例を示すブロック図である。
【図１５】本発明の他の実施の形態による画素構成例を示す接続図である。
【符号の説明】
【００５０】
１０…表示装置、１１…中央処理部、１１ａ…通信部、１１ｂ…制御部、１２，１２′…ディスプレイ表示信号処理回路、１３，１３′…受光信号処理部、１４…入力情報解析部、１５…記憶装置、１６…バックライト、２０…Ｉ／Ｏディスプレイパネル、２１…表示エリア（センサエリア）、２１ａ…限定検知エリア、２２…表示用水平ドライバ、２３…表示用垂直ドライバ、２４…センサ用水平ドライバ、２５…センサ用垂直ドライバ、３１，３２，３３…画素、３１ａ…スイッチチング素子、３１ｂ…画素電極、３１ｃ…センサ素子、３１ｄ…リセットスイッチ、３１ｅ…コンデンサ、３１ｆ…バッファアンプ、３１ｇ…読み出しスイッチ、４０…Ｉ／Ｏディスプレイパネル（自発光型）、４１…発光素子、４２…寄生容量、４３…表示データ信号線、４４…読み出しライン選択線、４５…受信データ信号線、ＳＷ１，ＳＷ２，ＳＷ３…スイッチ
【図１】
2007163891.tif 000003
【図２】
2007163891.tif 000004
【図３】
2007163891.tif 000005
【図４】
2007163891.tif 000006
【図５】
2007163891.tif 000007
【図６】
2007163891.tif 000008
【図７】
2007163891.tif 000009
【図８】
2007163891.tif 000010
【図９】
2007163891.tif 000011
【図１０】
2007163891.tif 000012
【図１１】
2007163891.tif 000013
【図１２】
2007163891.tif 000014
【図１３】
2007163891.tif 000015
【図１４】
2007163891.tif 000016
【図１５】
2007163891.tif 000017